(57)【要約】      （修正有）【課題】ラックの上下に関係無く使用でき、同一ラックを正逆にも積み重ね可能な入れ子式ラックを提供する。【解決の手段】左右の前柱１，１及び後柱２，２の下部側に格子状の積載床２４を設け、前柱内法間寸法Ｗが後柱外法間寸法Ｗ２及び積載床幅寸法より大きくし、前柱上端部には、サイド上梁４の上面より突出しない積み重ね用嵌合突起９を設け、下端面には、積み重ね用嵌合突起が嵌合する凹み部１２を設ける。また、前柱上端部後側に結合部材１０を設け、その結合部材下面端部には、積み重ね用嵌合突起が勘合する凹み部１４を設け、左右後柱２，２の上端面に亘って後部上梁３を配置し、前柱上端部と後部上梁上端部に亘ってサイド上梁４を架設する。サイド上梁４及び後部上梁３の交点部に積み重ね時におけるずれ止めのためのストッパー１１を設ける。【選択図】図１
0003163306.tif 000002
【実用新案登録請求の範囲】
【請求項１】
使用時には、正立逆立いずれの状態でも上下に積み重ねでき、不使用時には、同一構造のラックを安定した入れ子式収納が出来る、下記（１）〜（４）の要件を具備する入れ子式ラック
（１）左右の前柱及び後柱の下部側に格子状の積載床を設け、前柱内法間寸法を後柱外法間寸法及び積載床幅寸法より大きくする。
（２）前柱上端部には、サイド上梁の上面より突出しない積み重ね用嵌合突起を設け、下端面には、積み重ね用嵌合突起が嵌合する凹み部を設ける。
（３）左右後柱の上端面に亘って後部上梁を配置し、前柱上端部と後部上梁上端部に亘ってサイド上梁を架設する。サイド上梁及び後部上梁の交点部に積み重ね時におけるずれ止めストッパーを設ける。
（４）前柱上端部後側に結合補強部材を設け、その結合補強部材下面端部には、積み重ね用嵌合突起が勘合する凹み部を設ける。
【請求項２】
請求項１の（１）〜（３）の要件を満たす幅及び奥行き寸法が同じである同一構造のラック２台を、積み重ね金具を介し、１台はそのままの状態で下段に、もう１台は上下逆にして上段に積み重ねることにより生成出来る背高ラック。
【考案の詳細な説明】
【技術分野】
【０００１】
本考案は、物品保管用ラックとして使用するとき、正逆いずれの状態でも同一構造のラックを上下に積み重ねることができ、不使用時には、正逆いずれの状態でも入れ子にすることができ、更に、下段となるラックのサイド上梁上面に積み重ね金具を装着することにより、同一構造の別のラックを上下逆にして安定的に積み重ねることができ以てラックを新規に購入することなく同一構造ラックで保管出来る商品の高さに柔軟に対応できる金具付きラックに関する。
【背景技術】
【０００２】
この種のラックとしては、例えば下記特許文献１に記載のものがある。このラックは、成立逆立のいずれの状態でも使用することが出来、更にブリッジ掛け等多様に使用することが出来る。
【先行技術文献】
【特許文献】
【０００３】
【特許文献１】特開２００４−１１５０３７
【考案の概要】
【考案が解決しようとする課題】
【０００４】
特許文献１のラックは、多機能であるが故に構造が複雑とならざるを得ず従って割高な商品となってしまう。本考案は、こうした問題を解決するため、特許文献１のラックを正逆いずれでも使用できる機能に限定し構造を単純化するとともに、入れ子式収納保管した時わずかな外力でも起こる荷崩れを防止出来る機能を新たに付加し、更に正逆積み重ねを可能にする金具を提供することより、従来のラックになかった全く新しい機能、即ち、同一構造ラックを正逆積み重ねることによりラックの有効内法高さを倍増出来、保管物に柔軟に対応できるラックの考案である。
【課題を解決するための手段】
【０００５】
上記課題を解決するための手段を後述する実施形態の参照符号を付して説明すると、請求項１に係る考案は、ラック使用時には、正立逆立いずれの状態でも上下に積み重ねでき、不使用時には、同一構造のラックを入れ子式収納保管が出来る、下記（１）〜（４）の要件を具備する入れ子式ラック
（１）左右の前柱１，１及び後柱２，２の下部側に格子状の積載床２４を設け、前柱内法間寸法Ｗが後柱外法間寸法Ｗ２及び積載床幅寸法Ｗ３より大きくする。
（２）前柱上端部には、サイド上梁４の上面より突出しない積み重ね用嵌合突起９を設け、下端面には、積み重ね用嵌合突起が嵌合する凹み部１２を設ける。
（３）左右後柱２，２の上端面に亘って背面上梁３を配置し、前柱上端部と背面上梁上端部３ａに亘ってサイド上梁４を架設する。サイド上梁４及び背面上梁３の交点部に積み重ね時におけるずれ止めのためのストッパー１１を設ける。
（４）前柱上端部後側に結合補強部材１０を設け、その結合補強部材下面端部には、積み重ね用嵌合突起が勘合する凹み部１４を設ける。
【０００６】
請求項２は、請求項１の（１）〜（３）の要件を満たす幅及び奥行き寸法が同じである同一構造のラック２台を、積み重ね金具を介し、１台はそのままの状態で下段に、もう１台は上下逆にして上段に積み重ねることにより生成出来る背高ラックである。
【考案の効果】
【０００７】
上記解決の手段による発明効果を、後述する実施形態の参照符号を付して説明すると、請求項１に係る考案の入れ子式ラックＲによれば、積載床２４は、上下対称であり構成する部材の上下には、一切突出物はなく、前柱１、１、後柱２，２は、それぞれ積載床２４の前面梁５の両サイド及びサイド下梁１５の後端部に取り付けられ積載床２４の上下の空間をよぎる部材がないため、入れ子式ラックＲを正立または、逆立で使用しても保管物の積載に支障はない。
【０００８】
積み重ね可能で入れ子式収納保管が可能なラックであれば、一般的に市場供給されているどんなラックであっても正立状態でも逆立状態でも積み重ねや入れ子式にして保管することが出来る。しかし、実際での使用となると強度面や保管物等にいろいろな支障を来すことになる。正立逆立のいずれの状態でもの使用可能なラックには、上記したような強度や保管上の支障が無いラックであり、不使用時には安定した入れ子式収納保管が可能であることが求められる。
【０００９】
不使用時における安定した入れ子式収納保管を確保するため本考案は、不使用時ラックを入れ子式収納保管された数台からなるラックをラックＲ群と呼べば、ラックＲ群に何らかの外力（地震等の天災や荷役機械などの接触など）が作用した場合でも安定的に入れ子式収納保管が可能となる様考慮されている。即ち、サイド上梁４と前柱１は、結合補強部材１０を介し結合されている。この結合補強部材１０は、入れ子式収納保管にしたときラック前柱側の高さ方向の積み重ねピッチＰを確保する機能も併せ持ち、その下端面に凹み１４を設け、入れ子式収納保管したとき下段に来るラックＲの積み重ね用突起９と嵌合させることにより、入れ子式収納保管した場合において、かってない安定保管を確立することが可能となる。
【００１０】
請求項２に記載のラックＲＲは、積み重ね金具Ｓを正立状態のラックＲのサイド上梁に装着し，逆立状態の別のラックＲを積み重ねることにより生成するラックＲ群であり、ラックＲＲは、保管する商品の荷姿、特に保管物の高さ寸法の変動に柔軟対応可能となり、ラックを新規に購入することなく、更にラックＲＲにより拡大された保管高さ空間を使用して．同じ保管商品同士をラック内で２段積みして保管することにより、ラックＲの導入台数そのものを減少させることも出来る。
【００１１】
保管商品の高さが非常に背高のもの、例えば２メートルを超えるラックＲを特に背高ラックＲと呼ぶことにすると背高ラックＲは、ラックＲに比べ次の様なデメリット点がある。（１）背高ラックＲの高さは、当然２メートルを超えることとなり入れ子式収納状態でトラックで納品輸送する場合、輸送高さの制限から１台のトラックで輸送できる台数が大幅に減少し、製品そのもののコスト高の要因となる。（２）背高になることにより使用する部材（特に柱材がその主たる対象となる）を大幅にグレードアップする必要があり、その結果、重量増によるコストアップとなる。
【００１２】
以上の理由から背高の商品保管は、ラックＲＲで保管することにより、輸送コストの大幅節減となり、また、ラックＲは、コンパクトであるが故の取り扱いの簡便性や汎用性が広いこと等を考慮すれば、背高ラックＲよりも有利であるといえる。
【考案を実施するための最良の形態】
【００１３】
以下に本考案の最適な一実施形態を図面に基づいて説明する。図１は、本考案に係る入れ子式ラックＲを示す等角図である。図２の（ａ）は、図１のＸ−Ｘ断面図、（ｂ）は、ラックＲの正面図、図３の（ａ）は、ラックＲの右側面図、（ｂ）は、ラックＲの背面図である。図４の（ａ）は、図３（ａ）の矢印Ａで示す部分の拡大図、（ｂ）は、正面図、（ｃ）は、平面図である。図５（ａ）は、図３（ａ）の矢印Ｂで示す部分の拡大図、（ｂ）は、背面図、（ｃ）は、平面図である。
【００１４】
図１において、２５，２５は、左右の前柱構造、２，２は、左右の後柱、２４は、４本の左右の柱１、１、２、２の下端側に設けられた格子状の積載床を、３は、左右の後柱２，２の上端面に亘って架設された背面上梁、４、４は、前柱構造２５の上端部と背面上梁上面部３ａとに架設されたサイド上梁である。
【００１５】
２４は、積載床であり、周辺材である前面下梁５、サイド梁１５、１５、背面下梁６と井桁を構成する中横梁１６及び中縦梁１７の組み合わせからなり、積載床２４の上水平面・下水平面は、共に商品の積載面となるので同一にすることが必須となり、それぞれ上下同じ断面形状を有する角形鋼管で構成される。
【００１６】
２５は、前柱構造であり、前柱１の上端部に積み重ね用突起９と、上端部背面側に結合補強部材１０が取り付けられている。前柱１の下端部は、積み重ね用突起９が嵌合する凹み部１２をもつ。また、結合補強部材１０は、（１）前柱１とサイド上梁４を強固に結合するための部材であると共に、（２）入れ子式収納保管にした時、上部に収納保管したラックＲの水平保管を可能にし、（３）入れ子保管された数台からなるラックＲ群が外力等により簡単にずれ落ちたり転倒崩壊しないよう積み重ね用突起９が嵌合する凹み部１４を下部に設けている。
【００１７】
図１及び図２に示すように左右の前柱の内法間隔をＷとし、後柱間隔をＷ２とすれば、Ｗ＞Ｗ２であり、積載床２４の幅をＷ１とすれば、Ｗ＞Ｗ１となる。また、サイド上梁の内法間隔Ｗ４は、Ｗ４＝Ｗであり、この条件は、ラックＲが同一構造の他のラックＲを入れ子式に収納するための必須条件である。Ｆは、積載床２４の下面と前後４本の柱の下面との間隔で、ラックＲをフォークリフト等で荷役する際、運搬機械の爪等を挿入するためのスペースであり、Ｐは、入れ子式収納したときの高さ（垂直）方向の積み重ねピッチ寸法である。積載床２４を構成する部材の高さ（梁成）をＡとすれば、Ｐ＝Ｆ＋Ａが成り立つ。
【００１８】
図１及び図４に示すように、前柱１の上部端面１ａには積み重ね用突起９が取り付けられ、この積み重ね用突起９は、同一構造のラックＲを積み重ねる際の位置決めガイド及び積み重ね完了後のずれ止めの役割を果たし、更に、入れ子式収納の際には積み重ね時と同様、位置決めガイドやずれ止めの役割を兼用する重要部材である。前柱１に取り付けられた積み重ね用突起９の頂部の高さは、サイド上梁４の上面４ａと同等か若しくは、わずかに低く設定する。
【００１９】
また、前柱上端部背面部側には、結合補強部材１０が取り付けられ、この部材は、サイド上梁４と前柱とを結合し十分な継ぎ手強度が確保できる部材性能を有し、入れ子式収納時に入れ子式収納時の水平確保スペーサーとしての役割を兼ねるため、入れ子式収納時の高さ方向のピッチ寸法Ｐに等しい長さに設定されている。なお、同部材の下部端部は、入れ子式収納の際に積み重ね用突起９が嵌合する凹み部１４を設けている。
【００２０】
図１及び図５に示すように、左右の後柱２、２の上端面に背面上梁３を架設し、その背面上梁上面３ａの両端部にサイド上梁４，４を架設する。背面上梁３及びサイド上梁４、４の交点部にスッパー１１、１１を取り付け、積み重ね時におけるラックＲの前後方向の位置決め及びずれ止め機能を果たす。このストッパー１１、１１の上端は、サイド上梁の上面４ａから上方に突き出さないことを必須とする。この背面上梁上面３ａとサイド上梁の内面４ｂとストッパーの内部面１１ａとで構成される空間２６が、ラックＲを積み重ねた際、上段のラックＲの後柱２の下端面を設置する空間となる。
【００２１】
図６は、ラックＲを２段積み重ねた状態での等角図である。ラックＲの前面積み重ね部は、前柱構造２５の積み重ね用突起９が前柱１の下部凹み部１２に嵌合することにより、背面積み重ね部は、背面上梁３、サイド上梁４及びストッパー１１により構成される空間２６（空間２６は、図１及び図５（ｃ）参照）に上段のラックＲの後柱２の下部を挿入することによりそれぞれ前後左右の動揺に対し拘束されることになる。
【００２２】
図７は、ラックＲを上下逆にした状態での２段積み重ね時の等角図である。前記した正立状態での積み重ね同様、前面積み重ね部は、前柱１の下部凹み部１２（上下逆転しているので、ここでは上部凹み部１２となる。）に前柱構造２５の積み重ね用突起９が嵌合することにより、背面積み重ね部は、下段のラックＲの後柱２の下部に、背面上梁３、サイド上梁４及びストッパー１１により構成される空間２６（空間２６は、図１及び図５（ｃ）参照）に挿入することによりそれぞれ前後左右の動揺に対し拘束されることになる。
【００２３】
図８は、ラックＲ２台を入れ子式に収納したときの等角図である。上段に来るラックＲの前方部は、積み重ね用突起９が結合補強部材の下部凹み部１４に嵌合することにより、後方部は、積載床２４のサイド梁１５の上面に上段のラックＲの後柱２の下部を設置させることにより、水平に且つ安定的に収納保管することが出来る。なお、図８におけるＰは、入れ子式収納保管時における積み重ねられたラックＲ間の高さ方向のピッチ寸法である。
【００２４】
図１７は、正立状態での２台のラックＲを入れ子式収納したときの側面図である。矢印Ｑは、想定される外力を表す。外力Ｑを水平荷重とすれば、上段のラックＲが滑り落ちるのを上段のラックＲの結合補強部材１０の凹み部１４に下段ラックＲの積み重ね突起９が嵌合しているので水平外力Ｑにより上段ラックＲが滑り落ちることはない。
【００２５】
図１８は、逆立状態での入れ子式収納したときの側面図である。図１７同様に、矢印Ｑは、想定される外力を表す。外力Ｑを水平荷重とすれば、上段のラックＲが滑り落ちるのを下段のラックＲの結合補強部材１０の凹み部１４に上段ラックＲの積み重ね突起９が嵌合しているので水平外力Ｑにより上段ラックＲが滑り落ちることはない。
【００２６】
図９は、請求項２のラックＲＲを示し、積み重ね補助金具Ｓを介して、下段は正立の状態で、上段は逆立の状態で積み重ねた時の等角図である。図１０は、図９の等角図を正立状態のラックＲと積み重ね補助金具Ｓ及び逆立のラックＲとの積み重ね状態を分かり易くするためそれぞれ間隔を開けて作図した等角図である。図１１は、ラックＲの左側の上梁４に装着する積み重ね補助金具Ｓの等角図である。図１２（ａ）は、積み重ね補助金具Ｓの側面図、（ｂ）は正面図、（ｃ）は、平面図、（ｄ）は、背面図である。図１３（ａ）は、図１２のＣ部の拡大図で、（ｂ）は、正面図、（ｃ）は、平面図である。図１４（ａ）は、図１２のＤ部の拡大図で、（ｂ）は、背面図、（ｃ）は、平面図である。図１５（ａ）は、ラックＲを正立状態で３段積みして保管物Ｐを積載した場合の前面部分のみを図示した正面立面図である。（ｂ）は、正立状態のラックＲに積み重ね補助金具Ｓを介して、逆立状態のラックＲを積み重ね保管物Ｐ，Ｐｓ，Ｐｂを積載した図（ａ）と同様の図示方法による正面立面図である。保管物Ｐは、標準サイズの貨物、保管物Ｐｓは、標準サイズに比べ高さが低い貨物、保管物Ｐｂは、標準サイズに比べ高さが高い貨物を表している。図１６は、図９の矢印Ａの拡大図である。
【００２７】
ラックＲに保管される貨物のサイズは、常に外形寸法は一定ではなく時代の変化とともに変化する。保管棚としてのラックＲは、厳密には保管貨物のサイズ変化とともに買い換えや買い増しが求められることになる。しかし、実際には、ラックＲを廃却せず柔軟に有効活用することが求められる。そこで、図１５（ｂ）の様にラックＲを積み重ね補助金具Ｓを介して正逆積み重ねラックＲＲとすることにより、内法有効高さを倍増させ保管物の高さ変化に柔軟に対応することが可能となる。
【００２８】
積み重ね補助金具Ｓを介さなくても、ラックＲを正立状態の上部に逆立状態のものを積み重ねることは可能である。しかし、荷役機械等を使用しての積み込み時などの動揺や地震などの自然災害発生時などでは、大きな事故発生の可能性があり決して容認できるものではない。そこで、図９、図１０、図１１及び図１２に示すようなラックＲの積みかさね部の不安定性を解消するための積み重ね補助金具Ｓが必要となる。
【００２９】
図１１に示す積み重ね補助金具Ｓは１例であるが、積み重ね補助金具Ｓには、次記（１）〜（４）の機能を具備していることが求められる。（１）下段となる正立状態のラックＲのサイド上梁４に水平荷重に耐える装着金具２０，２１を設けていること。（２）ラックＲの上面同士が積み重ね部となるため、前柱上部間（上段に積み重ねられるラックＲは、逆立状態であるため上段のラックＲでは、前柱下部となる。）の前後左右の動揺が拘束できること。（３）背面部におけるサイド上梁４の前後左右の動揺を上下段共に拘束できるストッパーを有すること。（４）積みかさね作業性がよく、不要時の保管性に優れていること。  
【００３０】
図１、図９，図１０で積み重ね補助金具Ｓに求められる機能を説明すると、図１１の装着金具２０，２１は、Ｕ字型形状で下段となるラックＲのサイド上梁４に跨る様に挟み込み、積み重ね補助金具Ｓそのものを下段ラックＲに固縛させる。先端金具１８は、その上端及び下端にラックＲの積み重ね突起９が嵌合する凹み部２３を設け、図９、図１０に示すように正逆積み重ねた際、上下の積み重ね嵌合突起９がそれぞれ先端金具１８の凹み部２３に嵌合し上段ラックＲの前面部の前後左右方向の動揺を拘束する。図１１の２面ストッパー２２は、先端金具１８と連結材１９を介し積み重ね補助金具Ｓの後端部に取り付けられている。この２面ストッパー２２は、図９矢印Ａ部（拡大図は、図１６参照）はラックＲＲの背面右部の積み重ね部であるが、ハッチィングで表示された積み重ね補助金具Ｓの２面ストッパー２２により、奥行き背面方向への規制と左右方向の動揺が拘束されているがわかる。
【００３１】
本考案の積み重ね補助金具Ｓは、前記した様にその１例であり、正逆積み重ね部の安定的な積み重ねのため条件をクリアーした種々の方法を考案することが可能である。
【図面の簡単な説明】
【００３２】
【図１】本考案に関わる入れ子式ラックＲを示す等角図である。
【図２】（ａ）は、図１のＸ−Ｘ線断面図、（ｂ）は、ラックＲの正面図である。
【図３】（ａ）は、ラックＲの右側面図、（ｂ）は、ラックＲの背面図
【図４】（ａ）は、図３の矢印Ａで示す部分の拡大図、（ｂ）は、正面図、（ｃ）は、平面図である。
【図５】（ａ）は、図３の矢印Ｂで示す部分の拡大図、（ｂ）は、背面図、（ｃ）は、平面図である。
【図６】同一構造のラックＲを２段積みにした状態を示す等角図
【図７】同一構造のラックＲを逆立状態にして積み重ねた状態を示す等角図
【図８】同一構造のラックＲを入れ子式に収納した状態を示す等角図
【図９】同一構造のラックＲを正立状態の上部に、逆立状態のラックＲを積み重ね補助金具Ｓを介して積み重ねた状態を示す等角図
【図１０】同一構造のラックＲを正立状態の上部に、逆立状態のラックＲを積み重ね補助金具Ｓを介して積み重ねる課程を示す等角図
【図１１】ラックＲを正逆積み重ねる際、ラックＲの左側サイド上梁に使用する積み重ね補助金具Ｓの等角図
【図１２】（ａ）は、積み重ね補助金具Ｓの側面図、（ｂ）は、正面図、（ｃ）は、平面図
【図１３】（ａ）は、図１１の矢印Ｃで示す部分の拡大図、（ｂ）は、正面図、（ｃ）は、平面図
【図１４】（ａ）は、図１１の矢印Ｄで示す部分の拡大図、（ｂ）は、背面図、（ｃ）は、平面図
【図１５】（ａ）は、ラックＲを正立状態で３段積みし、同一サイズの保管物を積載した状態を示す正面前面部のみを図示した正面図、（ｂ）は、正立状態のラックＲの上段に逆立状態のラックＲを積み重ね補助金具Ｓを介し積み重ね、大きさの異なる保管物を積載した状態を示す正面前面部のみを図示した正面図
【図１６】図９の矢印Ａで示す部分の拡大図
【図１７】ラックＲ２台を正立状態で入れ子式収納したときの側面図
【図１８】ラックＲ２台を逆立状態で入れ子式収納したときの側面図
【符号の説明】
【００３３】
Ｒ          入れ子式ラックＲ
Ｓ          積み重ね補助金具
ＲＲ        正立状態の入れ子式ラックＲに積み重ね補助金具Ｓを介し逆立状態のラ                ックＲを積み重ね生成されるラック群
Ｑ          ラックＲに作用する水平外力
１          前柱
２          後柱
３          背面上梁
４          サイド上梁
５          積載床の前面下梁
６          積載床の背面下梁
９          前柱構造の積み重ね用突起
１０        前柱構造の結合補強部材
１１        ストッパー
１２        前柱構造の前柱の凹み部
１４        前柱構造の結合補強部材の凹み部
１５        積載床のサイド下梁
１６        積載床の中横梁
１７        積載床の中縦小梁
１８        積み重ね補助金具の先端金具
１９        積み重ね補助金具の連結材
２０        積み重ね補助金具の前固定金具
２１        積み重ね補助金具の背面固定金具
２２        積み重ね補助金具の２面ストッパー
２３        積み重ね補助金具の先端金具凹み部
２４        積載床
２５        前柱構造
【図１】
0003163306.tif 000003
【図２】
0003163306.tif 000004
【図３】
0003163306.tif 000005
【図４】
0003163306.tif 000006
【図５】
0003163306.tif 000007
【図６】
0003163306.tif 000008
【図７】
0003163306.tif 000009
【図８】
0003163306.tif 000010
【図９】
0003163306.tif 000011
【図１０】
0003163306.tif 000012
【図１１】
0003163306.tif 000013
【図１２】
0003163306.tif 000014
【図１３】
0003163306.tif 000015
【図１４】
0003163306.tif 000016
【図１５】
0003163306.tif 000017
【図１６】
0003163306.tif 000018
【図１７】
0003163306.tif 000019
【図１８】
0003163306.tif 000020